(57)【要約】【課題】バリヤ装置において、防塵、防滴等を図りつつバリヤ部材を円滑に作動させる。【解決手段】前側開口部１１を画定するカバー１０、後側開口部２１を画定するベース２０、前側開口部の後端面１１ａと後側開口部の前端面２１ａの間に形成された環状の間隙部Ｄ、間隙部を通して閉鎖位置と開放位置との間を移動自在に設けられたバリヤ部材３０、間隙部を遮蔽する遮蔽部材５０を備え、遮蔽部材５０は、間隙部の全周に亘って設けられ、バリヤ部材が開放位置にあるとき一部がバリヤ部材と接触した状態で間隙部を遮蔽し、バリヤ部材が閉鎖位置にあるとき変形することでバリヤ部材の表面と接触するように形成されている。これにより、バリヤ部材を円滑に開閉させることができ、間隙部（隙間）から塵、埃、水滴等が侵入するのを確実に防止できる。【選択図】図６
2009075203.tif 000002
【特許請求の範囲】
【請求項１】
前側開口部を画定するカバーと、前記カバーの背面に結合されて後側開口部を画定するベースと、前記前側開口部の後端面と前記後側開口部の前端面の間に形成された環状の間隙部と、前記前側開口部及び後側開口部に臨む閉鎖位置と前記前側開口部及び後側開口部から退避した開放位置との間を、前記間隙部を通して移動自在に設けられたバリヤ部材と、前記間隙部を遮蔽する遮蔽部材と、を備えたバリヤ装置であって、
前記遮蔽部材は、前記間隙部の全周に亘って設けられると共に、前記バリヤ部材が開放位置にあるとき一部が前記バリヤ部材に接触した状態で前記間隙部を遮蔽し、前記バリヤ部材が閉鎖位置にあるとき変形することで前記バリヤ部材の表面と接触するように形成されている、
ことを特徴とするバリヤ装置。
【請求項２】
前記遮蔽部材は、環状に形成されて前記前側開口部の後端面と前記後側開口部の前端面の間に配置されると共に前記後端面及び前端面の一方に固着されている、
ことを特徴とする請求項１記載のバリヤ装置。
【請求項３】
前記遮蔽部材は、前記前側開口部の内周面に沿って前記間隙部を遮蔽する位置まで伸長するように、筒状に形成されている、
ことを特徴とする請求項１記載のバリヤ装置。
【請求項４】
前記遮蔽部材は、環状に形成されて前記前側開口部の後端面に固着された前側遮蔽部材と、前記前側遮蔽部材と密接して対向するように環状に形成されて前記後側開口部の前端面に固着された後側遮蔽部材を含む、
ことを特徴とする請求項１記載のバリヤ装置。
【請求項５】
前記遮蔽部材は、環状に形成されて前記前側開口部の後端面と前記後側開口部の前端面の間に配置されると共に前記後端面及び前端面の一方に固着された内側遮蔽部材と、環状に形成されて前記前側開口部の後端面と前記後側開口部の前端面の間でかつ前記内側遮蔽部材よりも径方向の外側に離隔して配置されると共に前記後端面及び前端面の一方に固着された外側遮蔽部材を含む、
ことを特徴とする請求項１記載のバリヤ装置。
【請求項６】
前記遮蔽部材は、植毛材、又は、スポンジにより形成されている、
ことを特徴とする請求項１ないし５いずれか一つに記載のバリヤ装置。
【請求項７】
前記バリヤ部材は、前記ベースに対して揺動自在に設けられ、
前記ベースには、前記バリヤ部材を開閉駆動するための電磁アクチュエータが設けられている、
ことを特徴とする請求項１ないし６いずれか一つに記載のバリヤ装置。
【発明の詳細な説明】
【技術分野】
【０００１】
本発明は、携帯型のデジタルカメラ、携帯電話機等に搭載されたデジタルカメラ等において未使用時にレンズやＮＤフィルタを保護するバリヤ装置に関し、特に、バリヤ部材が開口部を開閉する隙間からの塵や水滴等の侵入を防止する機能を備えたバリヤ装置に関する。
【背景技術】
【０００２】
従来のバリヤ装置としては、レンズを露出させる略矩形の開口部を画定する先端カバー、先端カバーの背面に退避空間を形成する壁部、レンズの光軸と直交する面内において往復動自在に退避空間に配置されると共に閉時に開口部を閉鎖しかつ開時に開口部を開放する一対のバリヤ部材、略矩形の開口部の上側及び下側開口縁部に沿って退避空間を閉塞する防塵・防滴部材を備えたものが知られている（例えば、特許文献１参照）。
この防塵・防滴部材は、ビニール、ゴム等の薄い可撓性材料により形成されており、一対のバリヤ部材が開口部を閉鎖した状態において一対のバリヤ部材の表面に押圧され、又、一対のバリヤ部材が開口部を開放した状態において壁部に押圧されるように、捩りバネの付勢力により常時付勢された状態となっている。
【０００３】
しかしながら、この防塵・防滴部材においては、略矩形をなす開口部の上側及び下側の開口縁部を閉塞するものであり、開口部の全周を（左右の開口縁部を含めて）閉塞するものではない。したがって、左右の開口部から装置の内部に向けて塵や水滴等が侵入する虞がある。
また、防塵・防滴部材は、捩りバネの付勢力により、一対のバリヤ部材の表面又は壁部の表面に対して常時押し付けられた状態となっており、又、防塵・防滴部材が直線的な形状をなしかつ一対のバリヤ部材が防塵・防滴部材に対して垂直な方向に摺動するため、一対のバリヤ部材が開閉動作を行う際に摺動抵抗が大きく又一対のバリヤ部材が防塵・防滴部材に対してスティックを生じ、円滑に開閉動作を行うことができない虞がある。
さらに、防塵・防滴部材がビニールやゴムにより形成されているため、一対のバリヤ部材と防塵・防滴部材との間の摺動抵抗、摩擦力の増加を助長する傾向にあり、又、防塵・防滴部材は捩りバネにより付勢されるため、構造が複雑で、部品点数も多く、コストの増加を招くものである。
【０００４】
【特許文献１】特開２００５−１７３１０４号公報
【発明の開示】
【発明が解決しようとする課題】
【０００５】
本発明は、上記の事情に鑑みて成されたものであり、その目的とするところは、構造の簡素化、低コスト化等を図りつつ、開口部の隙間（間隙部）から塵、埃、水滴等が侵入するのを防止できるバリヤ装置を提供することにある。
【課題を解決するための手段】
【０００６】
本発明のバリヤ装置は、前側開口部を画定するカバーと、カバーの背面に結合されて後側開口部を画定するベースと、前側開口部の後端面と後側開口部の前端面の間に形成された環状の間隙部と、前側開口部及び後側開口部に臨む閉鎖位置と前側開口部及び後側開口部から退避した開放位置との間を，間隙部を通して移動自在に設けられたバリヤ部材と、間隙部を遮蔽する遮蔽部材と、を備えたバリヤ装置であって、上記遮蔽部材は、間隙部の全周に亘って設けられると共に、バリヤ部材が開放位置にあるとき一部がバリヤ部材に接触した状態で間隙部を遮蔽し、バリヤ部材が閉鎖位置にあるとき変形することでバリヤ部材の表面と接触するように形成されている、ことを特徴としている。
この構成によれば、バリヤ部材が間隙部に入り込んで閉鎖位置にあるとき、遮蔽部材はバリヤ部材の厚さ分だけ変形してバリヤ部材の表面と密接した状態で間隙部を遮蔽し、一方、バリヤ部材が間隙部から後退して開放位置にあるとき、遮蔽部材はその一部がバリヤ部材の外縁領域と接触して（接触により部分的に若干変形した状態も含む状態で）間隙部を遮蔽する。
このように、遮蔽部材が、間隙部を全周に亘って遮蔽し得ると共に、バリヤ部材の開閉動作を許容するように変形可能であるため、バリヤ部材を円滑に開閉させることができると共に、開口部の間隙部（隙間）から塵、埃、水滴等が侵入するのを確実に防止することができる。特に、開放位置にあるときは一部がバリヤ部材に接触した状態あるため、閉鎖位置に移動する際にバリヤ部材が遮蔽部材に衝突して移動不能になるのを防止しつつ、閉鎖位置への円滑な移動を可能にし、間隙部を確実に遮蔽することができる。
【０００７】
上記構成において、遮蔽部材は、環状に形成されて前側開口部の後端面と後側開口部の前端面の間に配置されると共に後端面及び前端面の一方に固着されている、構成を採用することができる。
この構成によれば、遮蔽部材として、環状に形成したものを後端面又は前端面に固着するだけであるため、構造の簡素化、低コスト化を達成することができる。
【０００８】
上記構成において、遮蔽部材は、前側開口部の内周面に沿って間隙部を遮蔽する位置まで伸長するように筒状に形成されている、構成を採用することができる。
この構成によれば、遮蔽部材として、筒状に形成したものを前側開口部の内周面に固着して間隙部を遮蔽するよう配置するだけであるため、構造の簡素化、低コスト化を達成することができ、又、防塵、防滴作用を一層高めることができる。
【０００９】
上記構成において、遮蔽部材は、環状に形成されて前側開口部の後端面に固着された前側遮蔽部材と、前側遮蔽部材と密接して対向するように環状に形成されて後側開口部の前端面に固着された後側遮蔽部材を含む、構成を採用することができる。
この構成によれば、間隙部に対して前側遮蔽部材と後側遮蔽部材を開口部の軸線方向に並ぶように、同軸上において密接して対向配置するため、バリヤ部材が開放位置にあるときは両者が協働して間隙部を遮蔽し、バリヤ部材が閉鎖位置にあるときは両者がそれぞれ変形してバリヤ部材の移動を許容すると共にバリヤ部材の両面にそれぞれ接触した状態で間隙部を遮蔽する。したがって、一つの遮蔽部材の場合よりも変形が容易で、バリヤ部材の開閉動作をより円滑に行わせることができ、又、遮蔽部材の耐久性を高めることができる。
【００１０】
上記構成において、遮蔽部材は、環状に形成されて前側開口部の後端面と後側開口部の前端面の間に配置されると共に後端面及び前端面の一方に固着された内側遮蔽部材と、環状に形成されて前側開口部の後端面と後側開口部の前端面の間でかつ内側遮蔽部材よりも径方向の外側に離隔して配置されると共に後端面及び前端面の一方に固着された外側遮蔽部材を含む、構成を採用することができる。
この構成によれば、間隙部に対して内側遮蔽部材と外側遮蔽部材を開口部の径方向に並ぶように同心円状に配置するため、バリヤ部材が開放位置にあるときは両者がそれぞれ間隙部を遮蔽し、バリヤ部材が閉鎖位置にあるときは両者がそれぞれ変形してバリヤ部材の移動を許容すると共にバリヤ部材の一方の面にそれぞれ接触した状態で間隙部を遮蔽する。したがって、ラビリンス効果に類似の遮蔽作用が得られ、一つの遮蔽部材の場合よりも遮蔽効果を高めることができ、塵、埃、水滴等の侵入をより確実に防止することができる。
【００１１】
上記構成において、遮蔽部材は、植毛材、又は、スポンジにより形成されている、構成を採用することができる。
この構成によれば、遮蔽部材が植毛材又はスポンジにより形成されるため、外部から変形力あるいは付勢力等が加わらない非変形の状態で間隙部を確実に遮蔽することができ、一部がバリヤ部材に接触している場合やバリヤ部材が間隙部に入り込む場合に、バリヤ部材を受け入れるように容易に変形することができる。したがって、遮蔽効果を一層高めることができると共に、バリヤ部材の開閉動作を一層円滑に行わせることができる。
【００１２】
上記構成において、バリヤ部材は、ベースに対して揺動自在に設けられ、ベースには、バリヤ部材を開閉駆動するための電磁アクチュエータが設けられている、構成を採用することができる。
この構成によれば、バリヤ部材は電磁アクチュエータの駆動力により開閉駆動され、間隙部からの水滴等の侵入が確実に防止されるため、電気配線等を水滴から保護することができ、機能上の信頼性を高めることができる。
【発明の効果】
【００１３】
上記構成をなすバリヤ装置によれば、構造の簡素化、低コスト化等を達成しつつ、開口部の隙間（間隙部）から塵、埃、水滴等が侵入するのを確実に防止することができる。
【発明を実施するための最良の形態】
【００１４】
以下、本発明の最良の実施形態について、添付図面を参照しつつ説明する。
図１ないし図７は、本発明に係るバリヤ装置の一実施形態を示すものであり、図１はバリヤ装置を搭載したデジタルカメラの外観斜視図、図２及び図３は装置の平面図、図４は装置の一部をなすカバーの内部を示す平面図、図５は装置の一部をなすベースの内部を示す平面図、図６及び図７は装置の内部を示す断面図である。
【００１５】
このバリヤ装置Ｍが搭載されるデジタルカメラＣは、図１に示すように、円形の開口部Ｃ１を有し、開口部Ｃ１の後方の内部空間において、前方Ｆから後方Ｒに向けて順に配置されたバリヤ装置Ｍ、光軸ＬをもつレンズＧを備えている。
バリヤ装置Ｍは、図２ないし図７に示すように、円形の前側開口部１１を画定するカバー１０、カバー１０の背面に結合されて円形の後側開口部２１を画定するベース２０、カバー１０及びベース２０により画定される内部空間に収容されたバリヤ部材３０、ベース２０に設けられてバリヤ部材３０を開閉駆動する電磁アクチュエータ４０、前側開口部１１の後端面１１ａと後側開口部２１の前端面２１ａの間に形成された円環状の間隙部Ｄを遮蔽する遮蔽部材５０等を備えている。
【００１６】
カバー１０は、図２ないし図４、図６、図７に示すように、略矩形の輪郭をなすように形成され、レンズＧを露出させるための前側開口部１１、前側開口部１１の後端に位置する後端面１１ａ、バリヤ部材３０を摺動自在にガイドするガイド面１２等を備えている。
前側開口部１１は、図６及び図７に示すように、レンズＧの光軸Ｌ上に軸線をもつ円筒状に形成されている。
後端面１１ａは、円環状でかつ平坦面に形成されており、後述するベース２０の前端面２１ａと協働して間隙部Ｄを画定するようになっている。そして、後端面１１ａは、遮蔽部材５０を固着して保持するようになっている。
ガイド面１２は、図４に示すように、湾曲した平坦面に形成されており、バリヤ部材３０（の前面）を摺動自在に案内するようになっている。
【００１７】
ベース２０は、図２、図３、図５、図６、図７に示すように、レンズＧを露出させるための後側開口部２１、後側開口部２１の前端に位置する前端面２１ａ、バリヤ部材３０を摺動自在にガイドするガイド面２２、バリヤ部材３０を揺動自在に支持する支軸２３、後述する電磁アクチュエータ４０の駆動ピン４１ａを往復動自在に通す略扇状の貫通孔２４等を備えている。
後側開口部２１は、図６及び図７に示すように、レンズＧの光軸Ｌ上に軸線をもつ円筒状に形成されている。
前端面２１ａは、円環状でかつ平坦面に形成されており、カバー１０の後端面１１ａと協働して間隙部Ｄを画定するようになっている。そして、前端面２１ａは、遮蔽部材５０の背面を摺動自在に案内するように形成されている。
ガイド面２２は、図５に示すように、湾曲した平坦面に形成されており、バリヤ部材３０（の背面）を摺動自在に案内するように形成されている。
支軸２３は、バリヤ部材３０の円孔３３に挿入されて、バリヤ部材３０を揺動自在に支持するように形成されている。
貫通孔２４は、バリヤ部材３０が前側開口部１１及び後側開口部２１から退避した開放位置と前側開口部１１及び後側開口部２１に臨む閉鎖位置との間を往復動させるべく、後述する駆動ピン４１ａの移動を許容するように形成されている。
【００１８】
バリヤ部材３０は、図２、図３、図６、図７に示すように、余裕をもって間隙部Ｄを通過するように薄板状をなし、円形の遮蔽部３１、遮蔽部３１から伸長する腕部３２、腕部３２に位置する円孔３３及び長孔３４等を備えるように形成されている。
遮蔽部３１は、前側開口部１１及び後側開口部２１を完全に閉鎖し得る径寸法に形成されている。円孔３３は、ベース２０の支軸２３が挿入されるように形成されている。長孔３４は、駆動ピン４１ａが挿入されるように形成されている。
そして、バリヤ部材３０は、図２及び図６に示すように、間隙部Ｄに入り込んで前側開口部１１及び後側開口部２１に臨む閉鎖位置と、図３及び図７に示すように、間隙部Ｄから後退して前側開口部１１及び後側開口部２１から退避した開放位置との間を往復動して、開閉動作を行うようになっている。
【００１９】
電磁アクチュエータ４０は、図２、図３、図６、図７に示すように、ベース２０の背面に固定されており、所定の角度範囲を回動するロータ４１、ロータ４１を回動自在に支持する枠部材（不図示）、枠部材の周りに巻回された励磁用のコイル（不図示）、コイルの周りに配置された円筒状のヨーク４２等を備えている。
ロータ４１は、バリヤ部材３０の長孔３４に挿入される駆動ピン４１ａを一体的に備えている。
【００２０】
遮蔽部材５０は、図４、図６、図７に示すように、植毛材又はスポンジ等を用いて、輪郭が円環状でかつ断面が矩形をなすように形成されている。そして、遮蔽部材５０は、光軸方向Ｌの一端面がカバー１０の後端面１１ａに固着され、間隙部Ｄを全周に亘って遮蔽し得るようになっている。
すなわち、遮蔽部材５０は、図３及び図７に示すように、バリヤ部材３０が間隙部Ｄから後退して開放位置にあるとき、一部がバリヤ部材３０（の外縁領域）に接触した状態で間隙部Ｄを遮蔽し、一方、図２及び図６に示すように、バリヤ部材３０が間隙部Ｄに入り込んで閉鎖位置にあるとき、バリヤ部材３０の厚さ分だけ変形してバリヤ部材３０の表面（前面）と密接（接触）した状態で間隙部Ｄを遮蔽するように形成されている。
【００２１】
このように、遮蔽部材５０が間隙部Ｄを全周に亘って遮蔽し得ると共にバリヤ部材３０の開閉動作を許容するように変形可能であるため、バリヤ部材３０を円滑に開閉させることができると共に、前側開口部１１及び後側開口部２１の間隙部Ｄ（隙間）から塵、埃、水滴等が侵入するのを確実に防止することができる。
特に、開放位置にあるときは遮蔽部材５０の一部がバリヤ部材３０に接触した状態にあるため、閉鎖位置に移動する際にバリヤ部材３０が遮蔽部材５０に衝突して移動不能になるのを防止しつつ、閉鎖位置への円滑な移動を可能にし、間隙部Ｄを確実に遮蔽することができる。また、遮蔽部材５０が植毛材又はスポンジにより形成されることで、バリヤ部材３０と接触又はバリヤ部材３０により変形させられる際の抵抗力を極力小さくすることができ、間隙部Ｄを確実に遮蔽することができると共に、バリヤ部材３０が間隙部Ｄに入り込むときに、バリヤ部材３０を受け入れるように容易に変形することができる。したがって、遮蔽効果を一層高めることができると共に、バリヤ部材３０の開閉動作を一層円滑に行わせることができる。
また、遮蔽部材５０は、環状に形成されたものをカバー１０の後端面１１ａに固着しただけのものであるため、構造の簡素化、低コスト化を達成することができる。
尚、遮蔽部材５０は、ベース２０の前端面２１ａに固着されてもよい。
【００２２】
次に、上記装置の動作について、図２、図３、図６、図７を参照しつつ説明する。
先ず、デジタルカメラＣが使用されないとき、電磁アクチュエータ４０は一方向に通電されて（ロータ４１が一方向に回転して）、バリヤ部材３０は、図２及び図６に示すように遮蔽部材５０を変形させつつ間隙部Ｄに入り込んで、前側開口部１１及び後側開口部２１を臨む閉鎖位置に位置する。
この閉鎖状態において、遮蔽部材５０は、弾性復帰可能に変形してバリヤ部材３０の表面（前面）に密接して、間隙部Ｄを完全に遮蔽した状態となっている。したがって、外部から前側開口部１１を通して入り込んできた塵、埃、水滴等は、遮蔽部材５０により完全に遮断されて、間隙部Ｄを通して内部へ侵入するのを防止することができる。
【００２３】
一方、デジタルカメラＣが使用されるとき、電磁アクチュエータ４０が他方向に通電されて（ロータ４１が他方向に回転して）、バリヤ部材３０は、図３及び図７に示すように、間隙部Ｄから後退して前側開口部１１及び後側開口部２１を開放した開放位置に位置する。
この開放状態において、遮蔽部材５０は、その一部がバリヤ部材３０に接触した状態で間隙部Ｄを完全に遮蔽した状態となっている。したがって、外部から前側開口部１１を通して入り込んできた塵、埃、水滴等は、遮蔽部材５０により完全に遮断されて、間隙部Ｄを通して内部へ侵入するのを防止することができる。これにより、カバー１０及びベース２０により画定される内部空間に配置された電磁アクチュエータ４０の電気配線及び電子部品等が水滴等で濡れるのを防止でき、所期の機能を確実に保証することができる。
また、遮蔽部材５０は、バリヤ部材３０が開放位置にあるときその一部がバリヤ部材３０に接触した状態あるため、次に閉鎖位置に移動する際にバリヤ部材３０が遮蔽部材５０に衝突して移動不能になるのを防止でき、間隙部Ｄを確実に遮蔽した状態で、閉鎖位置への円滑な移動を可能にしている。
【００２４】
図８及び図９は、本発明に係るバリヤ装置の他の実施形態を示すものである。この実施形態においては、遮蔽部材の形態を変更した以外は、前述の実施形態と同一であるため、同一の構成については同一の符号を付して説明を省略する。
すなわち、この装置Ｍは、カバー１０、ベース２０、バリヤ部材３０、電磁アクチュエータ４０、遮蔽部材５０´を備えている。
遮蔽部材５０´は、図８及び図９に示すように、植毛材又はスポンジ等を用いて、カバー１０の前面に固着される円形の鍔部５１´、鍔部５１´から前側開口部１１の内周面に沿って伸長し間隙部Ｄを遮蔽する位置まで達する筒状部５２´を一体的に備えるように形成されている。
【００２５】
すなわち、遮蔽部材５０´は、図８に示すように、バリヤ部材３０が間隙部Ｄに入り込んで閉鎖位置にあるとき、筒状部５２´の先端領域がバリヤ部材３０の厚さ分だけ変形してバリヤ部材３０の表面（前面）に密接（接触）した状態で間隙部Ｄを遮蔽し、一方、図９に示すように、バリヤ部材３０が間隙部Ｄから後退して開放位置にあるとき、図３に示す場合と同様に、一部がバリヤ部材３０に接触し（部分的に変形し）た状態で間隙部Ｄを遮蔽するように形成されている。
【００２６】
このように、遮蔽部材５０´が間隙部Ｄを全周に亘って遮蔽し得ると共にバリヤ部材３０の開閉動作を許容するように変形可能であるため、バリヤ部材３０を円滑に開閉させることができると共に、前側開口部１１及び後側開口部２１の間隙部Ｄ（隙間）から塵、埃、水滴等が侵入するのを確実に防止することができる。
特に、開放位置にあるときは遮蔽部材５０´の一部がバリヤ部材３０に接触した状態にあるため、閉鎖位置に移動する際にバリヤ部材３０が遮蔽部材５０´に衝突して移動不能になるのを防止しつつ、閉鎖位置への円滑な移動を可能にし、間隙部Ｄを確実に遮蔽することができる。また、遮蔽部材５０´が植毛材又はスポンジにより形成されることで、バリヤ部材３０と接触又はバリヤ部材３０により変形させられる際の抵抗力を極力小さくすることができ、間隙部Ｄを確実に遮蔽することができると共に、バリヤ部材３０が間隙部Ｄに入り込むときは、バリヤ部材３０を受け入れるように容易に変形することができる。したがって、遮蔽効果を一層高めることができると共に、バリヤ部材３０の開閉動作を一層円滑に行わせることができる。
また、遮蔽部材５０´は、円筒状に形成されたものをカバー１０の前側開口部１１の内周面に嵌め込んで固着し間隙部Ｄを遮蔽するように配置しただけのものであるため、構造の簡素化、低コスト化を達成することができ、又、防塵、防滴作用を一層高めることができる。
【００２７】
図１０及び図１１は、本発明に係るバリヤ装置のさらに他の実施形態を示すものである。この実施形態においては、遮蔽部材の形態を変更した以外は、前述の実施形態と同一であるため、同一の構成については同一の符号を付して説明を省略する。
すなわち、この装置Ｍは、カバー１０、ベース２０、バリヤ部材３０、電磁アクチュエータ４０、遮蔽部材として前側遮蔽部材１５０及び後側遮蔽部材２５０を備えている。
【００２８】
前側遮蔽部材１５０は、図１０及び図１１に示すように、植毛材又はスポンジ等を用いて環状にかつ光軸方向Ｌにおいて間隙部Ｄの略半分の長さまで伸長するように形成され、前側開口部１１の後端面１１ａに固着されている。
後側遮蔽部材２５０は、図１０及び図１１に示すように、植毛材又はスポンジ等を用いて環状にかつ光軸方向Ｌにおいて間隙部Ｄの略半分の長さまで伸長するように形成され、前側遮蔽部材１５０と密接して対向するようにして、後側開口部２１の前端面２１ａに固着されている。
【００２９】
すなわち、前側遮蔽部材１５０及び後側遮蔽部材２５０は、間隙部Ｄに対して、前側開口部１１及び後側開口部２１の軸線方向（光軸方向Ｌ）に並ぶように同軸上において密接して対向配置され、図１０に示すように、バリヤ部材３０が開口部Ｄに入り込んで閉鎖位置にあるとき、両者がそれぞれ変形してバリヤ部材３０の移動を許容すると共にバリヤ部材３０の両面にそれぞれ密接した状態で間隙部Ｄを遮蔽し、一方、図１１に示すように、バリヤ部材３０が間隙部Ｄから後退して開放位置にあるとき、両者は前述の場合と同様に一部がバリヤ部材３０と接触し（部分的に変形し）た状態で間隙部Ｄを遮蔽するように形成されている。
【００３０】
このように、前側遮蔽部材１５０及び後側遮蔽部材２５０が間隙部Ｄを全周に亘って遮蔽し得ると共にバリヤ部材３０の開閉動作を許容するように変形可能であるため、バリヤ部材３０を円滑に開閉させることができると共に、前側開口部１１及び後側開口部２１の間隙部Ｄ（隙間）から塵、埃、水滴等が侵入するのを確実に防止することができる。
特に、開放位置にあるときは前側遮蔽部材１５０及び後側遮蔽部材２５０の一部がバリヤ部材３０に接触した状態にあるため、閉鎖位置に移動する際にバリヤ部材３０が前側遮蔽部材１５０又は後側遮蔽部材２５０に衝突して移動不能になるのを防止しつつ、閉鎖位置への円滑な移動を可能にし、間隙部Ｄを確実に遮蔽することができる。また、前側遮蔽部材１５０及び後側遮蔽部材２５０が植毛材又はスポンジにより形成されることで、バリヤ部材３０と接触又はバリヤ部材３０により変形させられる際の抵抗力を極力小さくすることができ、間隙部Ｄを確実に遮蔽することができると共に、バリヤ部材３０が間隙部Ｄに入り込むときは、バリヤ部材３０を受け入れるように容易に変形することができる。したがって、遮蔽効果を一層高めることができると共に、バリヤ部材３０の開閉動作を一層円滑に行わせることができる。また、一つの遮蔽部材の場合よりも変形が容易で、バリヤ部材３０の開閉動作をより円滑に行わせることができ、又、遮蔽部材１５０，２５０の耐久性を高めることができる。
【００３１】
図１２（ａ），（ｂ）は、本発明に係るバリヤ装置のさらに他の実施形態を示すものである。この実施形態においては、遮蔽部材の形態を変更した以外は、前述の実施形態と同一であるため、同一の構成については同一の符号を付して説明を省略する。
すなわち、この装置Ｍは、カバー１０、ベース２０、バリヤ部材３０、電磁アクチュエータ４０、遮蔽部材として内側遮蔽部材３５０及び外側遮蔽部材４５０を備えている。
【００３２】
内側遮蔽部材３５０は、図１２（ａ），（ｂ）に示すように、植毛材又はスポンジ等を用いて環状に形成され、前側開口部１１の後端面１１ａと後側開口部２１の前端面２１ａの間に配置されると共に後端面１１ａに固着されている。
外側遮蔽部材４５０は、図１２（ａ），（ｂ）に示すように、植毛材又はスポンジ等を用いて環状に形成され、前側開口部１１の後端面１１ａと後側開口部２１の前端面２１ａの間でかつ内側遮蔽部材３５０よりも径方向の外側に離隔して配置されると共に後端面１１ａに固着されている。
【００３３】
すなわち、内側遮蔽部材３５０及び外側遮蔽部材４５０は、間隙部Ｄに対して、前側開口部１１及び後側開口部２１の径方向に並ぶように同心円状に配置され、バリヤ部材３０が間隙部Ｄに入り込んで閉鎖位置にあるとき、両者はそれぞれバリヤ部材３０の厚み分だけ変形してバリヤ部材３０の移動を許容すると共にバリヤ部材３０の表面（前面）にそれぞれ密接した状態で間隙部Ｄを遮蔽し、一方、図１２（ｂ）に示すように、バリヤ部材３０が間隙部Ｄから後退して開放位置にあるとき、両者は前述の場合と同様に一部がバリヤ部材３０と接触し（部分的に変形し）た状態で間隙部Ｄを遮蔽するように形成されている。
【００３４】
このように、内側遮蔽部材３５０及び外側遮蔽部材４５０が間隙部Ｄを全周に亘って遮蔽し得ると共にバリヤ部材３０の開閉動作を許容するように変形可能であるため、バリヤ部材３０を円滑に開閉させることができると共に、前側開口部１１及び後側開口部２１の間隙部Ｄ（隙間）から塵、埃、水滴等が侵入するのを確実に防止することができる。
特に、開放位置にあるときは内側遮蔽部材３５０及び外側遮蔽部材４５０の一部がバリヤ部材３０に接触した状態にあるため、閉鎖位置に移動する際にバリヤ部材３０が内側遮蔽部材３５０又は外側遮蔽部材４５０に衝突して移動不能になるのを防止しつつ、閉鎖位置への円滑な移動を可能にし、間隙部Ｄを確実に遮蔽することができる。また、内側遮蔽部材３５０及び外側遮蔽部材４５０が植毛材又はスポンジにより形成されることで、バリヤ部材３０と接触又はバリヤ部材３０により変形させられる際の抵抗力を極力小さくすることができ、間隙部Ｄを確実に遮蔽することができると共に、バリヤ部材３０が間隙部Ｄに入り込むときは、バリヤ部材３０を受け入れるように容易に変形することができる。したがって、遮蔽効果を一層高めることができると共に、バリヤ部材３０の開閉動作を一層円滑に行わせることができる。また、二つの遮蔽部材（内側遮蔽部材３５０及び外側遮蔽部材４５０）を径方向に並べることで、ラビリンス効果に類似の遮蔽作用が得られ、一つの遮蔽部材の場合よりも遮蔽効果を高めることができ、塵、埃、水滴等の侵入をより確実に防止することができる。
尚、ここでは、内側遮蔽部材３５０及び外側遮蔽部材４５０は、共に後端面１１ａに固着された場合を示したが、これに限定されるものではなく、共に前端面２１ａに固着されてもよく、又は、一方が後端面１１ａに固着され、他方が前端面２１ａに固着されてもよい。
【００３５】
上記実施形態においては、バリヤ部材として一枚のバリヤ部材３０を示したが、これに限定されるものではなく、二枚のバリヤ部材を採用してもよい。
上記実施形態においては、前側開口部１１及び後側開口部２１として円筒状のものを示し、遮蔽部材５０，５０´，１５０，２５０，３５０，４５０として円環状又は円筒状に形成されたものを示したが、間隙部Ｄの全周を遮蔽するものであれば、前側開口部及び後側開口部が楕円形あるいは矩形をなす場合に、遮蔽部材として楕円形あるいは矩形の環状をなすものを採用してもよい。
上記実施形態においては、遮蔽部材として、光軸方向Ｌに並べて配置した前側遮蔽部材１５０及び後側遮蔽部材２５０と、径方向に間隔をおいて配置した内側遮蔽部材３５０及び外側遮蔽部材４５０を示したが、両方の配置を組み合わせた構成、すなわち、前側遮蔽部材と後側遮蔽部材の組み合わせを、径方向に間隔をおいて複数組（例えば、２組）配置した構成を採用してもよい。
【産業上の利用可能性】
【００３６】
以上述べたように、本発明のバリヤ装置は、構造の簡素化、低コスト化等を達成しつつ、開口部の隙間（間隙部）から塵、埃、水滴等が侵入するのを確実に防止することができるため、レンズに限らず、ＮＤフィルタやＮＤフィルタ羽根、シャッタ羽根、絞り羽根等を備えた携帯型のデジタルカメラ、携帯電話機等に搭載されるモバイルカメラ等に適用できるのは勿論のこと、防塵、防滴等の対策をようするものであれば、その他のカメラにも有用である。
【図面の簡単な説明】
【００３７】
【図１】本発明に係るバリヤ装置を搭載したデジタルカメラを示す外観斜視図である。
【図２】本発明に係るバリヤ装置の平面図である。
【図３】本発明に係るバリヤ装置の平面図である。
【図４】本発明に係るバリヤ装置の一部をなすカバーの内部を示す平面図である。
【図５】本発明に係るバリヤ装置の一部をなすベースの内部を示す平面図である。
【図６】本発明に係るバリヤ装置の一実施形態を示す断面図である。
【図７】本発明に係るバリヤ装置の一実施形態を示す断面図である。
【図８】本発明に係るバリヤ装置の他の実施形態を示す断面図である。
【図９】本発明に係るバリヤ装置の他の実施形態を示す断面図である。
【図１０】本発明に係るバリヤ装置のさらに他の実施形態を示す断面図である。
【図１１】本発明に係るバリヤ装置のさらに他の実施形態を示す断面図である。
【図１２】本発明に係るバリヤ装置のさらに他の実施形態を示すものであり、（ａ）は部分平面図、（ｂ）は（ａ）中のＥ−Ｅにおける断面図である。
【符号の説明】
【００３８】
Ｃ  デジタルカメラ
Ｃ１  開口部
Ｍ  バリヤ装置
Ｇ  レンズ
Ｌ  光軸
Ｆ  前側
Ｒ  後側
Ｄ  間隙部
１０  カバー
１１  前側開口部
１１ａ  後端面
１２  ガイド面
２０  ベース
２１  後側開口部
２１ａ  前端面
２２  ガイド面
２３  支軸
２４  貫通孔
３０  バリヤ部材
３１  遮蔽部
３２  腕部
３３  円孔
３４  長孔
４０  電磁アクチュエータ
４１  ロータ
４１ａ  駆動ピン
４２  ヨーク
５０，５０´  遮蔽部材
５１´  鍔部
５２´  筒状部
１５０  前側遮蔽部材
２５０  後側遮蔽部材
３５０  内側遮蔽部材
４５０  外側遮蔽部材
【図１】
2009075203.tif 000003
【図２】
2009075203.tif 000004
【図３】
2009075203.tif 000005
【図４】
2009075203.tif 000006
【図５】
2009075203.tif 000007
【図６】
2009075203.tif 000008
【図７】
2009075203.tif 000009
【図８】
2009075203.tif 000010
【図９】
2009075203.tif 000011
【図１０】
2009075203.tif 000012
【図１１】
2009075203.tif 000013
【図１２】
2009075203.tif 000014